(57)【特許請求の範囲】
【請求項１】
ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＴＧＷは音声符号化部とパケット化部を有する、当該ＶｏＩＰシステムにおいて、
前記ＩＰネットワークに接続された試験サーバと、
前記ＴＧＷ内の前記交換機側に配された信号折り返し手段と、
所定の音声信号を符号化して得た試験パターンを前記試験サーバに格納する格納手段と、
前記信号折り返し手段の動作モードを設定する設定手段とを有し、
前記ＴＧＷの正常性を確認するとき、前記試験サーバは、所定のテストデータを前記パケット化部に送信し、
前記試験サーバから前記所定のテストパターンを受信したとき、前記パケット化部は、前記テストデータをパケット単位に分割し、かつ前記試験サーバに返信し、
前記試験サーバは、
前記パケット化部から前記パケット単位に分割された前記テストパターンを受信したとき、前記パケット化部から受信したテストパターンと前記試験サーバから送信したテストパターンとが一致しているか否かを判断し、
前記返信されたテストデータと前記所定のテストデータとが一致していると判断されたとき、テストパターンを前記音声符号化部に送信し、
前記音声符号化部は、
前記試験サーバから前記テストパターンを受信したとき、所定の音声符号化アルゴリズムに基づいて音声符号変換し、
前記テストパターンの音声符号変換後、変換後のテストパターンを前記試験サーバに返信し、
前記試験サーバは、前記音声符号化部から前記変換後のテストパターンを受信したとき、前記変換後のテストパターンと期待値パターンとを照合し、
前記変換後のテストパターンと前記期待値パターンが一致したとき、設定手段は、前記信号折り返し手段を折り返し動作モードに設定し、
前記折り返し手段が折り返し動作モードに設定されたとき、前記試験サーバは、前記音声符号化部と前記パケット化部を介して、前記折り返し手段へ前記試験パターンを送信し、
前記試験サーバから前記試験パターンを受信したとき、前記信号折り返し手段は、再度、前記音声符号化部と前記パケット化部を介して、前記試験サーバに返信し、
前記折り返し手段から前記試験パターンを受信したとき、前記格納手段は、受信した前記試験パターンを格納し、
前記格納手段に受信した前記試験パターンが格納されたとき、前記試験サーバは、格納された前記試験パターンに基づいて所定の判定試験を行うことを特徴とするＶｏＩＰシステム。
【請求項２】
前記試験パターンは、前記音声信号としての正弦波信号を音声符号化したデータからなることを特徴とする請求項１記載のＶｏＩＰシステム。
【請求項３】
前記判定試験では、前記ＴＧＷの音声符号化／再生動作の正常性を確認することを特徴とする請求項２記載のＶｏＩＰシステム。
【請求項４】
前記正常性を、前記信号折り返し手段より折り返された前記試験パターンの符号化データについてのレベル情報の変化が、前記正弦波信号と同等であるか否かにより確認することを特徴とする請求項３記載のＶｏＩＰシステム。
【請求項５】
ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＩＰネットワークに接続された試験サーバと、所定の音声信号を符号化して得た試験パターンを前記試験サーバに格納する格納手段と、前記信号折り返し手段の動作モードを設定する設定手段と、前記ＴＧＷは、音声符号化部と、パケット化部と、前記ＴＧＷ内の前記交換機側に配された信号折り返し手段とを有するＶｏＩＰシステムの試験方法において、
前記ＴＧＷの正常性を確認するとき、前記試験サーバは、所定のテストデータを前記パケット化部に送信し、
前記試験サーバから前記所定のテストパターンを受信したとき、前記パケット化部は、前記テストデータをパケット単位に分割し、かつ前記試験サーバに返信し、
前記試験サーバは、
前記パケット化部から前記パケット単位に分割された前記テストパターンを受信したとき、前記パケット化部から受信したテストパターンと前記試験サーバから送信したテストパターンとが一致しているか否かを判断し、
前記返信されたテストデータと前記所定のテストデータとが一致していると判断されたとき、テストパターンを前記音声符号化部に送信し、
前記音声符号化部は、
前記試験サーバから前記テストパターンを受信したとき、所定の音声符号化アルゴリズムに基づいて音声符号変換し、
前記テストパターンの音声符号変換後、変換後のテストパターンを前記試験サーバに返信し、
前記試験サーバは、前記音声符号化部から前記変換後のテストパターンを受信したとき、前記変換後のテストパターンと期待値パターンとを照合し、
前記変換後のテストパターンと前記期待値パターンが一致したとき、設定手段は、前記信号折り返し手段を折り返し動作モードに設定し、
前記折り返し手段が折り返し動作モードに設定されたとき、前記試験サーバは、前記音声符号化部と前記パケット化部を介して、前記折り返し手段へ前記試験パターンを送信し、
前記試験サーバから前記試験パターンを受信したとき、前記信号折り返し手段は、再度、前記音声符号化部と前記パケット化部を介して、前記試験サーバに返信し、
前記折り返し手段から前記試験パターンを受信したとき、前記格納手段は、受信した前記試験パターンを格納し、
前記格納手段に受信した前記試験パターンが格納されたとき、前記試験サーバは、格納された前記試験パターンに基づいて前記ＴＧＷの音声符号化／再生動作の正常性を確認する所定の判定試験を行うことを特徴とするＶｏＩＰシステムの試験方法。
【請求項６】
前記所定の判定試験は、前記信号折り返し部より折り返された前記試験パターンの符号化データについてのレベル情報の変化が、前記正弦波信号と同等であるか否かにより前記正常性を確認することを特徴とする請求項５記載のＶｏＩＰシステムの試験方法。
【発明の詳細な説明】
【０００１】
【発明の属する技術分野】
本発明は、音声符号化／再生動作の正常性を確認するための試験を行うＶｏＩＰシステムおよびその試験方法に関するものである。
【０００２】
【従来の技術】
交換機とインタフェースを行うゲートウエイであるＴＧＷ(Trunk Gateway) の音声符号化／再生動作の試験方法として、正弦波信号を符号化した試験パターンを、ＴＧＷの交換機インタフェース側で折り返し、折り返された信号の受信データのレベル情報をもとに、音声符号化／再生動作の正常性を判断する試験方法が知られている。
【０００３】
ＶｏＩＰ(Voice over IP) システムの音声符号化／再生動作の確認は、一般的には、以下の方法で行っている。
【０００４】
（１）試験データをＴＧＷで折り返し、その試験データと折り返しデータの一致の確認を行う。
（２）ＩＴＵ−Ｔ等で勧告されているテストパターンを、試験サーバからＴＧＷの音声符号化回路へ送信し、その音声符号化回路において、音声符号化アルゴリズムに基づいて音声符号変換を行う。そして、変換後のデータを試験サーバへ送り返し、試験サーバでは、そのデータを期待値パターンと照合して、音声符号化回路の正常性を確認する。この方法と、ＴＧＷにモニタ回路を設けて試験音声を再生し、音声として確認する方法とを組み合わせて、ＴＧＷの音声符号化／再生動作を試験する。
【０００５】
【発明が解決しようとする課題】
しかしながら、上記従来の技術では、試験サーバとＴＧＷのパケット化回路、および音声符号化回路について音声符号化動作の正常性の確認はできても、音声符号化回路の交換機インタフェース側の確認ができないという問題がある。
【０００６】
さらには、上述した、ＴＧＷにモニタ回路を設け、試験音声を再生させて音声として確認する方法では、その確認を人間が行う必要がある。そのため、複数回線の試験を行う場合等において、試験に時間がかかり、操作性が悪いという問題がある。
【０００７】
本発明は、上述の課題に鑑みなてされたものであり、その目的とするところは、データ照合時間の短縮と操作性を改善したＶｏＩＰシステムおよびその試験方法を提供することである。
【０００８】
すなわち、本発明は、ＶｏＩＰシステムのＴＧＷにおける音声符号化／再生動作の正常性を効率的に確認するための試験方法を提供することを目的とするものである。
【０００９】
【課題を解決するための手段】
請求項１記載の発明は、ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＴＧＷは音声符号化部とパケット化部を有する、当該ＶｏＩＰシステムにおいて、前記ＩＰネットワークに接続された試験サーバと、前記ＴＧＷ内の前記交換機側に配された信号折り返し手段と、所定の音声信号を符号化して得た試験パターンを前記試験サーバに格納する格納手段と、前記信号折り返し手段の動作モードを設定する設定手段とを有し、前記ＴＧＷの正常性を確認するとき、前記試験サーバは、所定のテストデータを前記パケット化部に送信し、前記試験サーバから前記所定のテストパターンを受信したとき、前記パケット化部は、前記テストデータをパケット単位に分割し、かつ前記試験サーバに返信し、前記試験サーバは、前記パケット化部から前記パケット単位に分割された前記テストパターンを受信したとき、前記パケット化部から受信したテストパターンと前記試験サーバから送信したテストパターンとが一致しているか否かを判断し、前記返信されたテストデータと前記所定のテストデータとが一致していると判断されたとき、テストパターンを前記音声符号化部に送信し、前記音声符号化部は、前記試験サーバから前記テストパターンを受信したとき、所定の音声符号化アルゴリズムに基づいて音声符号変換し、前記テストパターンの音声符号変換後、変換後のテストパターンを前記試験サーバに返信し、前記試験サーバは、前記音声符号化部から前記変換後のテストパターンを受信したとき、前記変換後のテストパターンと期待値パターンとを照合し、前記変換後のテストパターンと前記期待値パターンが一致したとき、設定手段は、前記信号折り返し手段を折り返し動作モードに設定し、前記折り返し手段が折り返し動作モードに設定されたとき、前記試験サーバは、前記音声符号化部と前記パケット化部を介して、前記折り返し手段へ前記試験パターンを送信し、前記試験サーバから前記試験パターンを受信したとき、前記信号折り返し手段は、再度、前記音声符号化部と前記パケット化部を介して、前記試験サーバに返信し、前記折り返し手段から前記試験パターンを受信したとき、前記格納手段は、受信した前記試験パターンを格納し、前記格納手段に受信した前記試験パターンが格納されたとき、前記試験サーバは、格納された前記試験パターンに基づいて所定の判定試験を行うことを特徴とする。
【００１０】
請求項２記載の発明は、請求項１記載のＶｏＩＰシステムにおいて、前記試験パターンは、前記音声信号としての正弦波信号を音声符号化したデータからなることを特徴とする。
【００１１】
請求項３記載の発明は、請求項２記載のＶｏＩＰシステムにおいて、前記判定試験では、前記ＴＧＷの音声符号化／再生動作の正常性を確認することを特徴とする。
【００１２】
請求項４記載の発明は、請求項３記載のＶｏＩＰシステムにおいて、前記正常性を、前記信号折り返し手段より折り返された前記試験パターンの符号化データについてのレベル情報の変化が、前記正弦波信号と同等であるか否かにより確認することを特徴とする。
【００１３】
請求項５記載の発明は、ＴＧＷ（Trunk Gateway）を介して交換機およびＩＰ（Internet Protocol）ネットワークに接続されるとともに、ＩＰパケットを用いて符号化音声信号を転送するＶｏＩＰ（Voice over IP）システムであって、前記ＩＰネットワークに接続された試験サーバと、所定の音声信号を符号化して得た試験パターンを前記試験サーバに格納する格納手段と、前記信号折り返し手段の動作モードを設定する設定手段と、前記ＴＧＷは、音声符号化部と、パケット化部と、前記ＴＧＷ内の前記交換機側に配された信号折り返し手段とを有するＶｏＩＰシステムのＶｏＩＰの試験方法において、前記ＴＧＷの正常性を確認するとき、前記試験サーバは、所定のテストデータを前記パケット化部に送信し、前記試験サーバから前記所定のテストパターンを受信したとき、前記パケット化部は、前記テストデータをパケット単位に分割し、かつ前記試験サーバに返信し、前記試験サーバは、前記パケット化部から前記パケット単位に分割された前記テストパターンを受信したとき、前記パケット化部から受信したテストパターンと前記試験サーバから送信したテストパターンとが一致しているか否かを判断し、前記返信されたテストデータと前記所定のテストデータとが一致していると判断されたとき、テストパターンを前記音声符号化部に送信し、前記音声符号化部は、前記試験サーバから前記テストパターンを受信したとき、所定の音声符号化アルゴリズムに基づいて音声符号変換し、前記テストパターンの音声符号変換後、変換後のテストパターンを前記試験サーバに返信し、前記試験サーバは、前記音声符号化部から前記変換後のテストパターンを受信したとき、前記変換後のテストパターンと期待値パターンとを照合し、前記変換後のテストパターンと前記期待値パターンが一致したとき、設定手段は、前記信号折り返し手段を折り返し動作モードに設定し、前記折り返し手段が折り返し動作モードに設定されたとき、前記試験サーバは、前記音声符号化部と前記パケット化部を介して、前記折り返し手段へ前記試験パターンを送信し、前記試験サーバから前記試験パターンを受信したとき、前記信号折り返し手段は、再度、前記音声符号化部と前記パケット化部を介して、前記試験サーバに返信し、前記折り返し手段から前記試験パターンを受信したとき、前記格納手段は、受信した前記試験パターンを格納し、前記格納手段に受信した前記試験パターンが格納されたとき、前記試験サーバは、格納された前記試験パターンに基づいて前記ＴＧＷの音声符号化／再生動作の正常性を確認する所定の判定試験を行うことを特徴とする。
【００１４】
請求項６記載の発明は、請求項５記載のＶｏＩＰシステムの試験方法において、前記所定の判定試験は、前記信号折り返し部より折り返された前記試験パターンの符号化データについてのレベル情報の変化が、前記正弦波信号と同等であるか否かにより前記正常性を確認することを特徴とする。
【００１５】
【発明の実施の形態】
以下、添付図面を参照しながら、本発明の実施の形態を詳細に説明する。
［システムの概要］
本発明の一実施の形態として、ＶｏＩＰシステムにおける音声の正常性の確認は、システムに試験サーバを設け、その試験サーバに、後述する正弦波パターンを符号化した試験パターンを送信して行う。また、ＴＧＷの交換機インタフェース側は、折り返し回路を有する。
【００１６】
ここでは、試験サーバからの試験パターン（送信）は、ＴＧＷのパケット化部を経由して音声符号化部に供給され、通常の音声と同様、音声符号化部で音声符号化処理が行われる。その出力は、ＴＤＳＷ(Time division Switch ：時分割スイッチ) に接続されている折り返し回路で折り返され、 再び、音声符号化部へ入力された後、音声符号化部とパケット化部でパケット化される。
【００１７】
パケット化部は、パケット化したＲＴＰパケットを試験サーバに送信する。試験サーバは、受信したＲＴＰパケットのシーケンス番号（ＳＱ＃）、およびタイムスタンプ(Time Stamp)を確認する。また、試験サーバは、受信した符号化データのレベル情報を、試験パターンの正弦波と同等なことを確認する。
【００１８】
本発明に係る音声符号化／再生動作の正常性確認では、上記のパケット化部、および音声符号化部の正常性を確認／保証するため、後述するＰｉｎｇ試験、および音声符号化部における試験例（テストベッド）を事前に行ってから、実際の確認を実行する必要がある。
【００１９】
［システム構成］
以下、本発明の実施の形態に係るＶｏＩＰシステムの構成を説明する。図１は、本実施の形態に係るＶｏＩＰシステムの全体構成を示すブロック図である。同図に示すようにＶｏＩＰシステムは、交換機１１，１２間に設置され、これらの交換機との音声信号のインタフェースや、ＩＰネットワーク２０内でのＲＴＰ(Real-time Transport Protocol)パケットを送受信するＴＧＷ(Trunk Gateway) １３，１４を有する。
【００２０】
交換機１１，１２は、それぞれ端末１１ｂ，１２ｂを収容するとともに、ＴＤＳＷ( 時分割スイッチ) １１ａ，１２ａを有しており、それらのスイッチと通話用回線１６，１７を介して、ＴＧＷ１３，１４に接続されている。
【００２１】
本ＶｏＩＰシステムの制御系には、各ＴＧＷ１３，１４を制御するコール・エージェント(Call Agent)２５が配され、このコール・エージェント２５は、ＳＧＷ(Signaling Gateway) ２３，２４を介して、各交換機１１，１２を制御する。そして、各ＴＧＷ間を接続するＩＰネットワーク２０には、試験サーバ１５が接続されている。
【００２２】
図２は、本実施の形態に係るＶｏＩＰシステムのＴＧＷ１３，１４の内部構成を示すブロック図である。各ＴＧＷ１３，１４は、ＴＧＷ全体の制御を行うＴＧＷ制御部３１、入力信号をパケット化するためのパケット化部３２および音声符号化部３３、時分割スイッチＴＳＷ３４、通信用回線とのインタフェースとなるＩＮＦ部３５を有する。また、ＴＳＷ３４には、後述する折り返し回路３６が接続されている。
【００２３】
図３は、ＴＧＷ１３，１４のパケット化部３２および試験サーバ１５間で音声信号の転送を行う際のＲＴＰパケットのフォーマット例である。同図に示すように、ＲＴＰパケット４１のＲＴＰ部は、シーケンス番号（ＳＱ＃）４３、およびタイムスタンプ(Time)４４を含んで構成される。
【００２４】
［システムの動作］
以下、本実施の形態に係るＶｏＩＰシステムの動作について説明する。最初に、通常のＶｏＩＰシステムの動作を説明する。図１に示す交換機１１，１２の内、一方の交換機（例えば、交換機１１）より、その制御系２１、およびＳＧＷ２３を経由して、呼の接続が要求されると、コール・エージェント２５は、他方の交換機１２へ、ＳＧＷ２４を経由して、その交換機の制御系２２へ着信を要求する。
【００２５】
コール・エージェント２５は、着信側の交換機１２より応答信号が返送されると、発信側交換機１１へ、その応答を返すとともに、その交換機１１と対向するＴＧＷ１３に対して所定の動作の準備を指示する。準備を指示されたＴＧＷ１３は、交換機からのデジタル化された音声信号を効率よく転送するため、その音声信号をＴＧＷ内の音声符号化部３３（図２参照）で符号化する。
【００２６】
このように符号化された音声信号は、パケット化部３２で、図３に示すＲＴＰパケットに変換し、相手側交換機のＴＧＷ１４へ、そのＲＴＰパケットを送信する。
【００２７】
一方、相手側ＴＧＷ１４は、そのパケット化部３２で、ＩＰネットワーク２０を介して送信されてきたＲＴＰパケットを受信し、そのパケットに含まれるシーケンス番号（ＳＱ＃）４３、およびタイムスタンプ４４の正常性を確認する。
【００２８】
このように、音声符号化部３３へ送られた音声は、そこで符号化されてデジタル信号に変換される。その信号は、ＴＳＷ３４、ＩＮＦ部３５を介して、相手交換機へ送られる結果、交換機間の音声通話が可能となる。
【００２９】
このとき、ＴＧＷ１３，１４では、音声信号の無音区間においては、ＩＰネットワーク２０上での転送効率を上げる目的で、その信号をパケット化しない。そして、受信側のＴＧＷは、そのパケット化部３２におけるＲＴＰパケットの受信が途切れると、音声符号化部３３で無音再生の動作を行う。
【００３０】
ＴＧＷは、次にＲＴＰパケットを受信したならば、再び、受信したＲＴＰパケットのペイロード（Ｇ．７ＸＸ）を音声符号化部３３へ送り、音声の再生を再開する。交換機１１，１２間におけるＲＴＰパケットの送受信は、上述したシーケンス番号（ＳＱ＃）４３、およびタイムスタンプ４４により、互いのＴＧＷ１３，１４のパケット化部３２で管理する。
【００３１】
［音声の正常性の確認］
本実施の形態に係るＶｏＩＰシステムにおける音声正常性の確認動作について説明する。図１に示す試験サーバ１５は、事前に正弦波を音声符号化した試験パターンを有する。試験サーバ１５は、本ＶｏＩＰシステム内における音声符号化／再生動作の正常性の確認を指示されたならば、最初に、試験するＴＧＷに対する正常性確認を行う。
【００３２】
すなわち、試験サーバ１５は、図４に示すＰｉｎｇ試験により、ＴＧＷ内のパケット化部３２の正常性を確認する。具体的には、試験サーバ１５が、図中、矢印で示すように、所定のテストデータ５１をパケット化部３２へ送り、パケット化部３２より折り返されたデータ（折り返しデータ）５２がテストデータ５１と一致していれば、パケット化部３２は正常であるとする。
【００３３】
試験サーバ１５は、上記のＰｉｎｇ試験により、パケット化部３２の正常性を確認すると、次に、試験対象のＴＧＷ内の音声符号化部３３について、その正常性を確認する。図５は、音声符号化部３３の試験例（テストベッド）を示している。
【００３４】
かかる音声符号化部の試験例（テストベッド）において、試験サーバ１５は、ＩＴＵ−Ｔ等で勧告されているテストパターン５５を、ＴＧＷ内の音声符号化部３３へ送信する。音声符号化部３３では、所定の音声符号化アルゴリズムに基づいて音声符号変換を行い、変換後のデータを試験サーバ１５へ送り返す。そこで、試験サーバ１５は、送り返されたデータを発生パターン５６として、そのパターンと期待値パターン５７とを照合し、それらが一致すれば、音声符号化部３３が正常であると判断する。
【００３５】
このように、本実施の形態に係るＶｏＩＰシステムでは、上述したＰｉｎｇ試験と併せて、音声符号化部３３の正常性を確認するための動作を行い、ＴＧＷ内のパケット化部、および音声符号化部について、交換機インタフェース部を除く部分の正常性を確認する。
【００３６】
他方、上述した確認方法では、ＴＧＷの音声符号化部３３の内、交換機インタフェース側、およびＴＳＷ３４の確認はできない。そのため、上記とは別の確認手段が必要となる。
【００３７】
そこで、試験サーバ１５は、上記のＰｉｎｇ試験と併せて、ＴＧＷ内のパケット化部３２、および音声符号化部３３の、交換機インタフェース部を除く部分の正常性確認が完了すると、ＴＧＷのＴＧＷ制御部３１に指示を出す。この指示によって、ＴＳＷ３４、および、それに接続された折り返し回路３６が「折り返し」に設定される。
【００３８】
図６は、試験サーバ１５に保有された試験パターンと、ＴＧＷでの受信パターンとの関係を示すタイミング図である。同図の（ａ）は、当該試験に使用する原音データ波形（正弦波）であり、（ｂ）は、その波形を符号化し、ＲＴＰパケット化処理したときの試験パターン（送信）を示している。
【００３９】
すなわち、ここでは、図６の（ｂ）に示すように、連続するシーケンスＳｑ１〜Ｓｑ８それぞれにおいて、Ａ（ｔ１），Ｂ（ｔ２），Ｃ（ｔ３），…，Ｈ（ｔ８）の順に、試験パターンをＴＧＷ１に送信する。
【００４０】
ＴＧＷのパケット化部３２、音声符号化部３３は、試験サーバ１５より受信した、上記の試験パターンを、通常の音声信号と同様に扱い、それを交換機インタフェースのデジタル信号として、ＴＳＷ３４へ送出する。
【００４１】
このとき、ＴＳＷ３４、および折り返し回路３６は、上述したように、ＴＧＷ制御部３１によって、「折り返し」に設定されているため、入力信号（試験パターン）は、再び、音声符号化部３３、およびパケット化部３２で、ＲＴＰパケット化され、それが試験サーバ１５に送信される。
【００４２】
その結果、試験サーバ１５は、図６の（ｃ）に示すような遅延時間ｔの遅延を受けた試験パターンを、各シーケンスＳｑ１〜Ｓｑ８に対応したＡ'（ｔ１），Ｂ'（ｔ２），Ｃ'（ｔ３），…，Ｈ'（ｔ８）の順で受信する。そして、試験サーバ１５は、受信したパターンを再生処理する。図６の（ｄ）は、受信データの再生波形の例である。
【００４３】
具体的には、試験サーバ１５は、ＲＴＰパケットのシーケンス番号（ＳＱ＃）により、パケット順序の正常性をチェックし、受信パターン内の音声符号化データの示すレベル情報の変化（図６の（ｄ））が、図６の（ａ）に示す原音の正弦波と同等であること確認する。なお、このレベル確認の際、図６の（ｄ）の”レベル０の確認ポイント”が、図６の（ａ）の”レベル０のポイント”に一致しているかの判定を行うようにしてもよい。
【００４４】
このように、試験サーバ１５から送信された試験パターンが、正常にＴＧＷで折り返されたかを確認することで、ＴＧＷのパケット化部３２、音声符号化部３３、およびＴＳＷ３４における音声符号化／再生動作の正常性を確認する。
【００４５】
音声符号化データは、通常のデータ通信の場合のように、送信側と受信側で一致させることは、音声符号化のアルゴリズム上できない。従って、単純に送信側から送信した試験パターンと、折り返し受信したパターンを比較することは不可能である。
【００４６】
そこで、本実施の形態では、上述したＰｉｎｇ試験と音声符号化部の試験（テストベッド）に加えて、試験サーバより送った、正弦波を符号化した試験パターンを、ＴＧＷの折り返し回路で折り返し、それを試験サーバで再び受信して、その符号化データ内のレベル情報が、送信時の正弦波と同等であることを確認している。
【００４７】
以上説明したように、本実施の形態によれば、ＴＧＷ内のパケット化部、音声符号化部を通話状態と同様に動作させ、試験サーバから送信した試験パターンを交換機インタフェース側の折り返し回路で折り返し、再び、音声符号化部、パケット化部を経由して試験サーバで受信した符号化データのレベル情報の変化が、送信した際の試験パターンの正弦波と同等であることを確認することにより、音声符号化／再生動作の正常性確認を容易に行える。
【００４８】
すなわち、ＴＧＷの音声符号化／再生動作の正常性について、上述した３つの試験を行うことにより確認しているため、音声符号データの内容をチェックすることなく、複数回線の試験時間を短縮した、人手の介在が不要の操作性の優れたＶｏＩＰシステムの音声正常性確認を行うことが可能となる。
【００４９】
さらには、本実施の形態に係るシステムでは、音声符号化データの内容を確認しないで、レベル情報のみをチェックするので、試験サーバに大きなデータ処理能力を必要とせず、試験時間を短縮できるとともに、システムがオンラインサービス中であっても、そのサービスを停止することなく、個々の回線単位に音声符号化／再生動作の正常性を確認できる。
【００５０】
本発明は、上記の実施の形態に限定されるものではなく、発明の趣旨を逸脱しない範囲で、種々変形が可能である。例えば、試験サーバ１５は、コール・エージェント２５、ＴＧＷ内のＴＧＷ制御部３１、およびＩＰネットワーク２０内の他サーバを一括してまとめた構成としてもよい。
【００５１】
また、上記実施の形態では、音声符号化方式の種別等については、特に記述していない。従って、本発明は、特定の音声符号化方式にはとらわれず、上記ＶｏＩＰシステムの音声正常性の確認は、全ての音声符号化方式が対象となる。
【００５２】
【発明の効果】
以上説明したように、本発明によれば、音声符号化部とパケット化部を有するＴＧＷを介して交換機およびＩＰネットワークに接続され、ＩＰパケットを用いて符号化音声信号を転送するＶｏＩＰシステムにおいて、所定の音声信号を符号化して得た試験パターンを、ＩＰネットワークに接続された試験サーバに格納しておき、信号折り返し手段が折り返し動作モードに設定されている場合、試験サーバより音声符号化部とパケット化部を介して、信号折り返し手段へ送られた試験パターンを、その信号折り返し手段より、再度、音声符号化部とパケット化部を介して、試験サーバで受信し、その受信試験パターンに基づいて、ＴＧＷの音声符号化／再生動作の正常性を確認することで、その確認を人間が行わずに済み、複数回線の試験時間の短縮、および操作性の改善を実現できる。
【００５３】
また、試験サーバは、符号化データの内容を確認しないで、そのレベル情報のみをチェックするので、試験サーバに大きなデータ処理能力を必要とせず、結果として、試験時間を短くすることができる。
【００５４】
他の発明に係るＶｏＩＰシステムの試験方法によっても、ＩＰネットワークに接続された試験サーバより、ＴＧＷ内の音声符号化部とパケット化部を介して、信号折り返し部へ、正弦波信号を音声符号化したデータからなる試験パターンを送信し、信号折り返し部より、再度、音声符号化部とパケット化部を介して送信された試験パターンを上記試験サーバで受信し、受信した試験パターンに基づいてＴＧＷの音声符号化／再生動作の正常性を確認することで、複数回線の試験時間の短縮、および操作性の改善が可能となる。
【図面の簡単な説明】
【図１】本発明の実施の形態に係るＶｏＩＰシステムの全体構成を示すブロック図である。
【図２】実施の形態に係るＶｏＩＰシステムのＴＧＷの内部構成を示すブロック図である。
【図３】ＲＴＰパケットのフォーマット例を示す図である。
【図４】Ｐｉｎｇ試験を示す図である。
【図５】音声符号化部の試験例（テストベッド）を示す図である。
【図６】試験パターンと受信パターンの関係を示すタイミング図である。
【符号の説明】
１１，１２  交換機
１１ｂ，１２ｂ  端末
１３，１４  ＴＧＷ(Trunk Gateway)
１５  試験サーバ
１６，１７  通話用回線
２０  ＩＰネットワーク
２３，２４  ＳＧＷ(Signaling Gateway)
２５  コール・エージェント
３１  ＴＧＷ制御部
３２  パケット化部
３３  音声符号化部
３４  時分割スイッチ
３５  ＩＮＦ部
３６  折り返し回路
【図１】
0003622694.tif 000002
【図２】
0003622694.tif 000003
【図３】
0003622694.tif 000004
【図４】
0003622694.tif 000005
【図５】
0003622694.tif 000006
【図６】
0003622694.tif 000007